(57)【要約】【課題】画像再生装置において、静止画像を再生するとき、自動的に、その静止画像を以前に再生したときに設定したのと同じ再生様式で再生できるようにする。【解決手段】画像再生装置は、ファイル（静止画像）を再生するとき、再生対象のファイルに再生様式が設定されていなければ（＃２でＮＯ）、再生対象のファイルを通常の再生様式で再生し（＃３）、再生対象のファイルに再生様式が設定されていれば（＃２でＹＥＳ）、再生対象のファイルを、そのファイルに対して設定されている再生様式で再生する（＃４）。また、画像再生装置は、ファイルの再生中に、ユーザの操作により、再生様式の変更指示がなされると（＃６でＹＥＳ）、その変更指示に従って再生中のファイルの再生様式を変更して、再生中のファイルを変更指示された再生様式で再生し（＃７）、そして、再生中のファイルに対して、変更後の再生様式を設定する（＃８）。【選択図】図２
2009152776.tif 000002
【特許請求の範囲】
【請求項１】
画像を再生する画像再生装置において、
静止画像をデータ化した静止画像データを基に、その静止画像データによる静止画像を再生する静止画像再生手段を備え、
前記静止画像再生手段は、
再生対象の静止画像に対して再生様式が設定されているか否かを判断する様式判断手段と、
前記様式判断手段により再生様式が設定されていると判断された場合に、再生対象の静止画像を、その静止画像に対して設定されている再生様式で再生する様式対応再生手段とを有し、
静止画像を再生するときに、前記様式判断手段及び前記様式対応再生手段を実行して、再生対象の静止画像を再生する、
ことを特徴とする画像再生装置。
【請求項２】
複数の静止画像をユーザの操作を介することなく自動的に順次再生するスライドショー再生動作を制御するスライドショー制御手段を備え、
前記静止画像再生手段は、前記スライドショー制御手段によるスライドショー再生動作において静止画像を再生するときに、前記様式判断手段及び前記様式対応再生手段を実行して、再生対象の静止画像を再生する、
ことを特徴とする請求項１に記載の画像再生装置。
【請求項３】
静止画像に対して再生様式を設定する再生様式設定手段を備え、
前記再生様式設定手段は、静止画像の再生中に、その再生中の静止画像の再生様式がユーザの操作により変更されると、その再生中の静止画像に対してユーザの操作による変更後の再生様式を設定し、
前記静止画像再生手段は、前記再生様式設定手段により設定された再生様式に基いて、前記様式判断手段及び前記様式対応再生手段を実行して、再生対象の静止画像を再生する、
ことを特徴とする請求項２に記載の画像再生装置。
【請求項４】
前記再生様式設定手段により設定される再生様式は、静止画像の回転角度、拡大倍率、及び拡大領域を含む、
ことを特徴とする請求項３に記載の画像再生装置。
【請求項５】
静止画像データを記憶する画像データ記憶担体が装着／取外しされ、前記画像データ記憶担体から静止画像データを読取る画像データ読取部を備え、
前記静止画像再生手段は、前記画像データ読取部により前記画像データ記憶担体から読取った静止画像データを用いて静止画像を再生するときに、前記様式判断手段及び前記様式対応再生手段を実行して、再生対象の静止画像を再生する、
ことを特徴とする請求項４に記載の画像再生装置。
【請求項６】
静止画像データを記憶する画像データ記憶部を備え、
前記静止画像再生手段は、前記画像データ記憶部に記憶されている静止画像データを用いて静止画像を再生するときに、前記様式判断手段及び前記様式対応再生手段を実行して、再生対象の静止画像を再生する、
ことを特徴とする請求項４に記載の画像再生装置。
【発明の詳細な説明】
【技術分野】
【０００１】
本発明は、静止画像を再生する画像再生装置に関するものである。
【背景技術】
【０００２】
従来から、画像再生装置において、静止画像を再生するようにしたものがある。このような静止画像を再生する画像再生装置では、ユーザの操作によって個々の静止画像を選択して再生する個別再生動作や、ユーザの操作を介することなく複数の静止画像を自動的に順次再生するスライドショー再生動作を行えるようになっている。また、このような画像再生装置では、静止画像を再生したときに、ユーザの操作によって、再生中の静止画像を回転させたり、再生中の静止画像の一部分を拡大する（すなわち再生中の静止画像の再生様式を変更（設定）する）ことができるようになっている。
【０００３】
一方、しばらく見ていない画像を自動で抽出して、その抽出した画像をスライドショー再生するようにした画像再生装置が知られている（例えば、特許文献１参照）。また、サムネイル表示された複数の画像の中から複数の画像が選択されると、それら選択された複数の画像を選択された順序でスライドショー再生するようにした画像再生装置が知られている（例えば、特許文献２参照）。また、１つの画像に複数の被写体があるような場合に、その複数の被写体を効果的に強調表示することができるように、画像から複数の特徴領域を検出して、その検出結果に基いて、特殊効果をつけて画像を表示するようにした画像再生装置が知られている（例えば、特許文献３参照）。また、スライドショー再生における画像の再生順序や再生時間を編集できるようにした画像再生装置が知られている（例えば、特許文献４参照）。また、叩く、振るといったユーザの物理的な操作によって、画像の切り替えや複数画像の動きのある表示を行うようにした画像再生装置が知られている（例えば、特許文献５参照）。
【特許文献１】特開２００６−１７３９８３号公報
【特許文献２】特開２００７−２５６９７１号公報
【特許文献３】特開２００６−３５０６４７号公報
【特許文献４】特開２００６−２３８３４８号公報
【特許文献５】特開２００６−９１２９４号公報
【発明の開示】
【発明が解決しようとする課題】
【０００４】
ところが、上述した従来の画像再生装置においては、静止画像の再生中に、ユーザの操作によって、再生中の静止画像の再生様式を設定（変更）できるようになっているものの、同じ静止画像をもう１度再生するときに、以前に再生したときに行った再生様式の設定を反映するようにはなっていない。すなわち、再生中の静止画像の再生様式を変更した後に、その静止画像の再生を終了すると、その静止画像をその後にもう１度再生しても、その静止画像は、以前に再生したときに設定したのと同じ再生様式では再生されない。
【０００５】
従って、以前に再生したことのある静止画像を、以前に再生したときに設定したのと同じ再生様式で再生するには、その静止画像を再生する都度、ユーザの操作によって、その静止画像の再生様式を、以前に再生したときに設定したのと同じ再生様式に設定しなければならない。特に、スライドショー再生動作を行う場合には、ユーザの操作を介することなく複数の静止画像が自動的に順次再生されるようになっているにも関わらず、各静止画像が再生されたときに、ユーザの操作によって、スライドショー再生を中断し、その静止画像の再生様式を、以前に再生したときに設定したのと同じ再生様式に設定しなければならず、使い勝手が悪い。なお、上述した特許文献１乃至特許文献５に開示の内容を適用したとしても、上記の問題を解決することはできない。
【０００６】
本発明は、上記課題を解決するためになされたものであり、静止画像を再生するとき、自動的に、その静止画像を以前に再生したときに設定したのと同じ再生様式で再生することができる画像再生装置を提供することを目的とする。
【課題を解決するための手段】
【０００７】
上記目的を達成するために請求項１の発明は、画像を再生する画像再生装置において、
静止画像をデータ化した静止画像データを基に、その静止画像データによる静止画像を再生する静止画像再生手段を備え、静止画像再生手段は、再生対象の静止画像に対して再生様式が設定されているか否かを判断する様式判断手段と、様式判断手段により再生様式が設定されていると判断された場合に、再生対象の静止画像を、その静止画像に対して設定されている再生様式で再生する様式対応再生手段とを有し、静止画像を再生するときに、様式判断手段及び様式対応再生手段を実行して、再生対象の静止画像を再生するものである。
【０００８】
請求項２の発明は、請求項１に記載の画像再生装置において、複数の静止画像をユーザの操作を介することなく自動的に順次再生するスライドショー再生動作を制御するスライドショー制御手段を備え、静止画像再生手段は、スライドショー制御手段によるスライドショー再生動作において静止画像を再生するときに、様式判断手段及び様式対応再生手段を実行して、再生対象の静止画像を再生するものである。
【０００９】
請求項３の発明は、請求項２に記載の画像再生装置において、静止画像に対して再生様式を設定する再生様式設定手段を備え、再生様式設定手段は、静止画像の再生中に、その再生中の静止画像の再生様式がユーザの操作により変更されると、その再生中の静止画像に対してユーザの操作による変更後の再生様式を設定し、静止画像再生手段は、再生様式設定手段により設定された再生様式に基いて、様式判断手段及び様式対応再生手段を実行して、再生対象の静止画像を再生するものである。
【００１０】
請求項４の発明は、請求項３に記載の画像再生装置において、再生様式設定手段により設定される再生様式は、静止画像の回転角度、拡大倍率、及び拡大領域を含むものである。
【００１１】
請求項５の発明は、請求項４に記載の画像再生装置において、静止画像データを記憶する画像データ記憶担体が装着／取外しされ、画像データ記憶担体から静止画像データを読取る画像データ読取部を備え、静止画像再生手段は、画像データ読取部により画像データ記憶担体から読取った静止画像データを用いて静止画像を再生するときに、様式判断手段及び様式対応再生手段を実行して、再生対象の静止画像を再生するものである。
【００１２】
請求項６の発明は、請求項４に記載の画像再生装置において、静止画像データを記憶する画像データ記憶部を備え、静止画像再生手段は、画像データ記憶部に記憶されている静止画像データを用いて静止画像を再生するときに、様式判断手段及び様式対応再生手段を実行して、再生対象の静止画像を再生するものである。
【発明の効果】
【００１３】
請求項１の発明によれば、静止画像を再生するとき、その再生対象の静止画像に対して再生様式が設定されているか否かが判断され、そして、再生様式が設定されている場合には、その設定されている再生様式で再生対象の静止画像が再生される。従って、再生対象の静止画像を以前にも再生していて、以前に再生したときに再生様式が設定（変更）されていた場合には、以前に再生したときに設定された再生様式が反映され、以前に再生したときに設定された再生様式で再生対象の静止画像が再生される。これにより、静止画像を再生するとき、ユーザが操作することなく、自動的に、その静止画像を以前に再生したときに設定したのと同じ再生様式で再生することができ、使い勝手が向上する。
【００１４】
請求項２の発明によれば、スライドショー再生動作において各静止画像を再生するときに、ユーザが操作することなく、自動的に、その静止画像を以前に再生したときに設定したのと同じ再生様式で再生することができ、使い勝手が向上する。
【００１５】
請求項３の発明によれば、静止画像の再生中に、ユーザが静止画像の再生様式を変更する操作を行うだけで、その再生中の静止画像に対してユーザの操作による変更後の再生様式が設定されることになり、使い勝手が向上する。
【００１６】
請求項４の発明によれば、静止画像を再生するとき、ユーザが操作することなく、自動的に、その静止画像を以前に再生したときに設定したのと同じ回転角度、拡大倍率、及び拡大領域で再生することができ、使い勝手が向上する。
【００１７】
請求項５の発明によれば、本装置に装着／取外しされる画像データ記憶担体から静止画像を再生するときに、ユーザが操作することなく、自動的に、その静止画像を以前に再生したときに設定したのと同じ再生様式で再生することができ、使い勝手が向上する。
【００１８】
請求項６の発明によれば、本装置に設けられている画像データ記憶部から静止画像を再生するときに、ユーザが操作することなく、自動的に、その静止画像を以前に再生したときに設定したのと同じ再生様式で再生することができ、使い勝手が向上する。
【発明を実施するための最良の形態】
【００１９】
以下、本発明を具体化した実施形態による画像再生装置について図面を参照して説明する。図１は、本実施形態による画像再生装置の構成を示す。画像再生装置１は、ディスプレイ３によって静止画像を再生する装置である。
【００２０】
この画像再生装置１は、ユーザの操作によって静止画像の再生様式（静止画像の回転角度、拡大倍率、拡大領域など）を設定できるようになっており、静止画像の再生中に、その再生中の静止画像に対して再生様式が設定されると、以後、その静止画像を再生するときには、自動的に、その設定された再生様式（すなわち以前に再生したときに設定されたのと同じ再生様式）で再生するようになっている。
【００２１】
画像再生装置１は、光ディスクドライブ（画像データ読取部）１１と、ハードディスクドライブ１２と、画像処理部１３と、操作部１４と、画像再生装置１の動作を制御するＣＰＵ、ＲＯＭ、及びＲＡＭ等を含む制御部（静止画像再生手段、スライドショー制御手段、再生様式設定手段）１５等を備える。制御部１５のＲＯＭには、画像再生装置１の動作を制御するためのプログラムや各種データが記憶されている。
【００２２】
光ディスクドライブ１１は、静止画像データを記憶するストレージメディアである光ディスク（画像データ記憶担体）２が装着／取外しされるようになっており、制御部１５による制御のもと、光ディスク２から静止画像データ及び静止画像データを個別に識別するための画像識別データを読取る。光ディスク２には、例えばＪＰＥＧファイルの形式の複数の静止画像データ、及びそれらの静止画像データを個別に識別するための画像識別データが記憶されている。
【００２３】
ハードディスクドライブ１２は、ハードディスク（画像データ記憶部）１２ａを内蔵しており、制御部１５による制御のもと、ＪＰＥＧファイルの形式の静止画像データ及び画像識別データをハードディスク１２ａに記憶する。ハードディスク１２ａには、例えば、光ディスクドライブ１１により光ディスク２から読取った静止画像データ及び画像識別データや、不図示の通信部によりデジタルカメラやメモリカード等から取得した静止画像データ及び画像識別データが記憶される。
【００２４】
また、ハードディスクドライブ１２は、制御部１５による制御のもと、再生対象の静止画像に対して設定された再生様式を示す再生様式設定データをハードディスク１２ａに記憶する。また、ハードディスクドライブ１２は、制御部１５による制御のもと、ハードディスク１２ａから静止画像データ、画像識別データ、及び再生様式設定データを読出す。
【００２５】
画像処理部１３は、制御部１５による制御のもと、再生対象の静止画像の静止画像データを、再生対象の静止画像に対して設定された再生様式に応じて処理する。
【００２６】
操作部１４は、画像再生装置１の各種動作を指示するためにユーザに操作される各種操作キーを備えており、各種操作キーが操作されることにより、その操作に対応した操作信号を出力する。制御部１５は、操作部１４から出力される操作信号を基に、ユーザによる操作部１４を用いた操作を判断して、静止画像の個別再生動作、静止画像のスライドショー再生動作、静止画像の再生様式の設定等、画像再生装置１の各種動作を制御する。
【００２７】
個別再生動作とは、個々の静止画像をユーザの操作によって個別に再生する方式の再生動作である。また、スライドショー再生動作とは、複数の静止画像をユーザの操作を介することなく自動的に順次再生する方式の再生動作である。これら個別再生動作及びスライドショー再生動作は、光ディスク２に記憶されている静止画像データ、及びハードディスク１２ａに記憶されている静止画像データを対象として行われる。
【００２８】
個別再生動作は、ユーザが、個別再生動作を開始する指示をし、光ディスク２及びハードディスク１２ａに記憶されている静止画像データの中から１つの静止画像データを選択することにより、行われる。すなわち、制御部１５は、ユーザによる操作部１４での操作により、個別再生動作を開始する指示がなされ、光ディスク２及びハードディスク１２ａに記憶されている静止画像データの中から１つの静止画像データが選択されると、個別再生動作を開始して、その選択された１つの静止画像データによる静止画像を再生する。
【００２９】
また、スライドショー再生動作は、ユーザが、スライドショー再生を開始する指示をし、光ディスク２及びハードディスク１２ａに記憶されている静止画像データの中から複数の静止画像データを選択することにより、行われる。すなわち、制御部１５は、ユーザによる操作部１４での操作により、スライドショー再生を開始する指示がなされ、光ディスク２及びハードディスク１２ａに記憶されている静止画像データの中から複数の静止画像データを格納したフォルダが選択されると、スライドショー再生動作を開始し、それら選択された複数の静止画像データによる静止画像を自動的に順次再生する。
【００３０】
個別再生動作及びスライドショー再生動作における静止画像の再生は、制御部１５による制御のもと、以下のようにして行われる。すなわち、制御部１５は、再生対象の静止画像に対して再生様式が設定されているか否かを判断し、そして、再生様式が設定されていない場合には、通常の再生様式（光ディスク２及びハードディスク１２ａに再生対象の静止画像データが記憶されたときの元々の（初期設定の）再生様式）で再生対象の静止画像を再生し、再生様式が設定されている場合には、その設定されている再生様式で再生対象の静止画像を再生する。
【００３１】
通常の再生様式での静止画像の再生は、制御部１５による制御のもと、以下のようにして行われる。すなわち、制御部１５は、光ディスク２又はハードディスク１２ａから再生対象の静止画像データを読出して、その静止画像データをディスプレイ３に送出する。これにより、通常の再生様式で再生対象の静止画像がディスプレイ３に再生される。
【００３２】
また、設定されている再生様式での静止画像の再生は、制御部１５による制御のもと、以下のようにして行われる。すなわち、制御部１５は、光ディスク２又はハードディスク１２ａから再生対象の静止画像データを読出して、その静止画像データを設定された再生様式で再生されるように画像処理部１３により処理させ、そして、画像処理部１３により処理された静止画像データをディスプレイ３に送出する。これにより、設定された再生様式で再生対象の静止画像がディスプレイ３に再生される。
【００３３】
再生様式の設定は、個別再生動作において静止画像を再生しているときに、ユーザが再生様式の変更を指示することにより、行われる。すなわち、制御部１５は、個別再生動作における静止画像の再生中に、ユーザによる操作部１４での操作により、再生様式の変更指示がなされると、そのユーザによる再生様式の変更指示に従って、そのとき再生中の静止画像に対して再生様式を設定し、その設定された再生様式を示す再生様式設定データを、再生中の静止画像を個別に識別するための画像識別データと対応付けて、ハードディスク１２ａに記憶する。再生様式としては、静止画像の回転角度、拡大倍率、及び拡大領域等が設定される。
【００３４】
制御部１５は、これらハードディスク１２ａに記憶される再生様式設定データ及び画像識別データを、静止画像の再生中に、再生様式が変更される都度、更新する。これにより、ハードディスク１２ａには、個々の静止画像に対して、その静止画像を前回に再生したときの再生様式を示す再生様式設定データが画像識別データと対応付けて記憶されてゆく。なお、光ディスク２から静止画像データを読出して再生した静止画像に対して再生様式が変更された場合には、制御部１５は、光ディスク２が装着されている間は、その静止画像に対する再生様式設定データ及び画像識別データをハードディスク１２ａに記憶しておき、光ディスク２が取外されると、その静止画像に対する再生様式設定データ及び画像識別データをハードディスク１２ａから消去する。
【００３５】
上記個別再生動作及びスライドショー再生動作において静止画像を再生するとき、制御部１５は、このようにして設定した再生様式（ハードディスク１２ａに記憶した再生様式設定データ及び画像識別データ）に基いて、再生対象の静止画像に対して再生様式が設定されているか否かを判断して、再生対象の静止画像を再生する。
【００３６】
図２は、画像再生装置１の個別再生動作のフローチャートを示す。個別再生動作は、上述のように、個々の静止画像をユーザの操作によって個別に再生する方式の再生動作である。個別再生動作では、まず、制御部１５は、ファイル（静止画像）の再生開始要求があったか否かを判断する（＃１）。このとき、制御部１５は、ユーザの操作により、１つのファイルの再生を開始する指示がなされたことをもって、ファイルの再生開始要求があったと判断する。
【００３７】
ファイルの再生開始要求があると（＃１でＹＥＳ）、制御部１５は、ハードディスク１２ａに記憶している再生様式設定データに基いて、再生対象のファイル（ユーザの操作により選択されたファイル）に再生様式が設定されているか否かを判断する（＃２）。そして、再生対象のファイルに再生様式が設定されていなければ（＃２でＮＯ）、制御部１５は、再生対象のファイルを通常の再生様式で再生し（＃３）、再生対象のファイルに再生様式が設定されていれば（＃２でＹＥＳ）、制御部１５は、再生対象のファイルを、そのファイルに対して設定されている再生様式で再生する（＃４）。
【００３８】
その後、制御部１５は、ファイルの再生終了要求があったか否かを判断する（＃５）。このとき、制御部１５は、ユーザの操作により、再生中のファイルの再生を終了する指示がなされたことをもって、ファイルの再生終了要求があったと判断する。
【００３９】
ここで、ファイルの再生終了要求があるまでの間（すなわち静止画像の再生中）に（＃５でＮＯ）、ユーザの操作により、再生様式の変更指示がなされると（＃６でＹＥＳ）、制御部１５は、その変更指示に従って、再生中のファイルの再生様式を変更して、再生中のファイルを変更指示された再生様式で再生する（＃７）。そして、制御部１５は、その再生中のファイルに対して、変更指示に従った変更後の再生様式を設定する（＃８）。すなわち、制御部１５は、変更後の再生様式を示す再生様式設定データを、再生中のファイルを個別に識別する画像識別データと対応付けて、ハードディスク１２ａに記憶する。
【００４０】
ファイルの再生終了要求があると（＃５でＹＥＳ）、制御部１５は、再生中のファイルの再生を終了し（＃９）、個別再生動作を終了する。個別再生動作は、このようにして行われる。
【００４１】
図３は、画像再生装置１のスライドショー再生動作のフローチャートを示す。スライドショー再生動作は、上述のように、複数の静止画像をユーザの操作を介することなく自動的に順次再生する方式の再生動作である。スライドショー再生動作では、まず、制御部１５は、変数Ｎの値を初期値「０」に設定する（＃１１）。変数Ｎの値は、フォルダ内の複数のファイルの中から再生対象のファイルを特定するためのものである。続いて、制御部１５は、ファイルの再生開始要求があったか否かを判断する（＃１２）。このとき、制御部１５は、所定時間が経過したことを示すタイマ出力をもって、ファイルの再生開始要求があったと判断する。
【００４２】
ファイルの再生開始要求があると（＃１２でＹＥＳ）、制御部１５は、変数Ｎの値を１つ増加させ（＃１３）、ハードディスク１２ａに記憶している再生様式設定データに基いて、Ｎ番目のファイル（再生対象のファイル）に再生様式が設定されているか否かを判断する（＃１４）。そして、Ｎ番目のファイルに再生様式が設定されていなければ（＃１４でＮＯ）、制御部１５は、Ｎ番目のファイルを通常の再生様式で再生し（＃１５）、Ｎ番目のファイルに再生様式が設定されていれば（＃１４でＹＥＳ）、制御部１５は、Ｎ番目のファイルを、そのファイルに対して設定されている再生様式で再生する（＃１６）。
【００４３】
その後、制御部１５は、ファイルの再生終了要求があったか否かを判断する（＃１７）。このとき、制御部１５は、所定時間が経過したことを示すタイマ出力をもって、ファイルの再生終了要求があったと判断する。ファイルの再生終了要求があると（＃１７でＹＥＳ）、制御部１５は、再生中のファイルの再生を終了する（＃１８）。
【００４４】
そして、スライドショー再生を行う全てのファイルの再生を完了していなければ（＃１９でＮＯ）、制御部１５は、上記＃１２以降の処理を繰り返す。これにより、複数のファイル（１番目のファイル、２番目のファイル、３番目のファイル、・・・）が所定時間経過する毎に順次再生される。
【００４５】
スライドショー再生を行う全てのファイルの再生を完了すると（＃１９でＹＥＳ）、制御部１５は、スライドショー再生動作を終了する。スライドショー再生動作は、このようにして行われる。
【００４６】
このような構成の画像再生装置１によれば、個別再生動作において静止画像（ファイル）を再生するとき、その再生対象の静止画像に対して再生様式が設定されているか否かが判断され、そして、再生様式が設定されている場合には、その設定されている再生様式で再生対象の静止画像が再生される。従って、再生対象の静止画像を以前にも再生していて、以前に再生したときに再生様式が設定（変更）されていた場合には、以前に再生したときに設定された再生様式が反映され、以前に再生したときに設定された再生様式で再生対象の静止画像が再生される。これにより、個別再生動作において静止画像を再生するとき、ユーザが操作することなく、自動的に、その静止画像を以前に再生したときに設定したのと同じ再生様式で再生することができ、使い勝手が向上する。
【００４７】
また、スライドショー再生動作において各静止画像を再生するときにも、各再生対象の静止画像に対して再生様式が設定されているか否かが判断され、そして、再生様式が設定されている場合には、その設定されている再生様式で再生対象の静止画像が再生される。従って、再生対象の静止画像を以前にも再生していて、以前に再生したときに再生様式が設定（変更）されていた場合には、以前に再生したときに設定された再生様式が反映され、以前に再生したときに設定された再生様式で再生対象の静止画像が再生される。これにより、スライドショー再生動作において各静止画像を再生するときにも、ユーザが操作することなく、自動的に、その静止画像を以前に再生したときに設定したのと同じ再生様式で再生することができ、使い勝手が向上する。
【００４８】
しかも、個別再生動作における静止画像の再生中に、ユーザが静止画像の再生様式を変更する操作を行うだけで、その再生中の静止画像に対してユーザの操作による変更後の再生様式が設定されるため、使い勝手が向上する。また、静止画像の再生様式として静止画像の回転角度、拡大倍率、及び拡大領域が設定されるため、静止画像を再生するとき、ユーザが操作することなく、自動的に、その静止画像を以前に再生したときに設定したのと同じ回転角度、拡大倍率、及び拡大領域で再生することができ、使い勝手が向上する。
【００４９】
なお、本発明は、上記実施形態の構成に限られず、種々の変形が可能である。例えば、再生様式の設定は、個別再生動作において静止画像を再生しているときに限られず、スライドショー再生動作において静止画像を再生しているときに、ユーザが再生様式の変更を指示して行うようにしてもよい。また、光ディスクから静止画像データを読出して再生した静止画像に対して再生様式を設定した場合、その設定した再生様式を示す再生様式設定データは、ハードディスクに限られず、光ディスクに記憶するようにしてもよい。
【００５０】
また、スライドショー再生動作は、複数の静止画像を所定時間経過する毎に自動的に順次再生する方式に限られず、複数の静止画像をユーザによる画像切替操作（画像を選択する操作ではなく、単に、次の画像に切替える操作）を介して自動的に順次再生する方式であってもよい。また、本発明は、ディスプレイに静止画像データを送出して静止画像を再生する画像再生装置に限られず、スクリーンに静止画像を投影して再生する画像再生装置にも適用できる。
【図面の簡単な説明】
【００５１】
【図１】本発明の一実施形態に係る画像再生装置の概略構成を示す電気的ブロック構成図。
【図２】同画像再生装置の個別再生動作を示すフローチャート。
【図３】同画像再生装置のスライドショー再生動作を示すフローチャート。
【符号の説明】
【００５２】
１    画像再生装置
２    光ディスク（画像データ記憶担体）
３    ディスプレイ
１１    光ディスクドライブ（画像データ読取部）
１２    ハードディスクドライブ
１２ａ    ハードディスク（画像データ記憶部）
１３    画像処理部
１４    操作部
１５    制御部（静止画像再生手段、スライドショー制御手段、再生様式設定手段）
【図１】
2009152776.tif 000003
【図２】
2009152776.tif 000004
【図３】
2009152776.tif 000005